(57)【要約】【課題】戸建て住宅において考慮される勝手口ポーチについて、戸建て住宅としての意匠性を損なわないように配慮した免震住宅を提供する。【解決手段】免震住宅における勝手口ポーチの縁切構造において、勝手口ポーチにおける縁切部１１は、該基礎３上に形成されたステップ２２と、勝手口２５の正面に住宅部２の土台梁４から屋外側へ突出して設けられるポーチ部との間に形成し、該ポーチ部は、はね出し板２３と、該はね出し板２３の外側部に固定された化粧カバー３０とから構成し、該はね出し板２３は、住宅部に沿って階段部２３ａを形成し、該階段部２３ａの下方にステップ２２を配置し、前記化粧カバー３０は、前記はね出し板２３の側部を覆うように設け、該はね出し板２３の上下長より長く形成し、該化粧カバー３０の底部と、前記ステップ２２との間に隙間を構成し、該隙間部分を勝手口ポーチ部における縁切部１１とした。【選択図】図５
2008248689.tif 000002
【特許請求の範囲】
【請求項１】
地盤（１０）上に形成された基礎（３）と、該基礎（３）上に配置される免震装置（４９）にて免震支承される、免震住宅における勝手口ポーチの縁切構造において、該勝手口ポーチ部が形成される位置における住宅部（２）の土台梁（４）と、基礎（３）との隙間部の構成は、該土台梁（４）側に垂れ壁見切り（８）を配置するとともに、前記外壁部の下方に位置する基礎（３）の上面に止水板（５）を配置して構成し、該勝手口ポーチにおける縁切部（１１）は、該基礎（３）上に形成されたステップ（２２）と、勝手口（２５）の正面に住宅部（２）の土台梁（４）から屋外側へ突出して設けられるポーチ部との間に形成し、該ポーチ部は、はね出し板（２３）と、該はね出し板（２３）の外側部に固定された化粧カバー（３０）とから構成し、該はね出し板（２３）は、住宅部に沿って階段部（２３ａ）を形成し、該階段部（２３ａ）の下方にステップ（２２）を配置し、前記化粧カバー（３０）は、前記はね出し板（２３）の側部を覆うように設け、該はね出し板（２３）の上下長より長く形成し、該化粧カバー（３０）の底部と、前記ステップ（２２）との間に隙間を構成し、該隙間部分を勝手口ポーチ部における縁切部（１１）としたことを特徴とする免震住宅における勝手口ポーチの縁切構造。
【発明の詳細な説明】
【技術分野】
【０００１】
本発明は、免震住宅における基礎と上部構造体との縁切部分の構造に関するものであり、特に、戸建て住宅に設けられる勝手口や外壁部における縁切の構造に関するものである。
【背景技術】
【０００２】
従来、戸建て住宅等において、積層ゴム支承、転がり支承、滑り支承等により基礎に対して住宅部を相対変位可能にする免震装置を備えた免震建物が知られている。このような免震建物においては、地震発生時に、上部構造体に伝達される振動エネルギーを緩和して、住宅の倒壊並びに、室内の家具等の転倒が防止されるようになっている。そして、このような免震建物に関し、揺れの緩和を図る免震装置に関しては多数の技術が存在しており、多様な手法で免震が行えるようになっている。このため、近年では、基礎と上部構造体との縁切部の構造に着目されるようになってきており、この縁切部の構造に関しては、例えば、水切り部材を配置して床下に水が浸入しないように配慮した技術（特許文献１参照）や、縁切部をカバー等で遮蔽することにより縁切部が外に露出しないようにしたり、縁切部における雨仕舞いとしたりする技術（特許文献２参照）が公開されているものである。
【０００３】
【特許文献１】特開２００３−２９３４６７号公報
【特許文献２】特開２００１−２６２８６４号公報
【発明の開示】
【発明が解決しようとする課題】
【０００４】
しかしながら、従来の免震建物における縁切部の構造においては、基礎と上部構造体との縁切部を遮蔽するためにカバーやエキスパンションジョイント等を配置する必要があり、コストの上昇や、施工に手間がかかるという懸念がある。そこで、本発明においては、基礎と上部構造体との縁切部にカバーやエキスパンションジョイント等の遮蔽部材を配置することなく、浸水や昆虫や小動物の侵入を防止することのできる縁切構造を提供するものである。また、特に、戸建て住宅において考慮される勝手口ポーチ、外壁部分について、戸建て住宅としての意匠性を損なわないように配慮した免震住宅を提供するものである。
【課題を解決するための手段】
【０００５】
本発明の解決しようとする課題は以上の如くであり、次にこの課題を解決するための手段を説明する。
【０００６】
地盤（１０）上に形成された基礎（３）と、該基礎（３）上に配置される免震装置（４９）にて免震支承される、免震住宅における勝手口ポーチの縁切構造において、該勝手口ポーチ部が形成される位置における住宅部（２）の土台梁（４）と、基礎（３）との隙間部の構成は、該土台梁（４）側に垂れ壁見切り（８）を配置するとともに、前記外壁部の下方に位置する基礎（３）の上面に止水板（５）を配置して構成し、該勝手口ポーチにおける縁切部（１１）は、該基礎（３）上に形成されたステップ（２２）と、勝手口（２５）の正面に住宅部（２）の土台梁（４）から屋外側へ突出して設けられるポーチ部との間に形成し、該ポーチ部は、はね出し板（２３）と、該はね出し板（２３）の外側部に固定された化粧カバー（３０）とから構成し、該はね出し板（２３）は、住宅部に沿って階段部（２３ａ）を形成し、該階段部（２３ａ）の下方にステップ（２２）を配置し、前記化粧カバー（３０）は、前記はね出し板（２３）の側部を覆うように設け、該はね出し板（２３）の上下長より長く形成し、該化粧カバー（３０）の底部と、前記ステップ（２２）との間に隙間を構成し、該隙間部分を勝手口ポーチ部における縁切部（１１）としたものである。
【発明の効果】
【０００７】
本発明の効果として、以下に示すような効果を奏する。
【０００８】
地盤（１０）上に形成された基礎（３）と、該基礎（３）上に配置される免震装置（４９）にて免震支承される、免震住宅における勝手口ポーチの縁切構造において、該勝手口ポーチ部が形成される位置における住宅部（２）の土台梁（４）と、基礎（３）との隙間部の構成は、該土台梁（４）側に垂れ壁見切り（８）を配置するとともに、前記外壁部の下方に位置する基礎（３）の上面に止水板（５）を配置して構成し、該勝手口ポーチにおける縁切部（１１）は、該基礎（３）上に形成されたステップ（２２）と、勝手口（２５）の正面に住宅部（２）の土台梁（４）から屋外側へ突出して設けられるポーチ部との間に形成し、該ポーチ部は、はね出し板（２３）と、該はね出し板（２３）の外側部に固定された化粧カバー（３０）とから構成し、該はね出し板（２３）は、住宅部に沿って階段部（２３ａ）を形成し、該階段部（２３ａ）の下方にステップ（２２）を配置し、前記化粧カバー（３０）は、前記はね出し板（２３）の側部を覆うように設け、該はね出し板（２３）の上下長より長く形成し、該化粧カバー（３０）の底部と、前記ステップ（２２）との間に隙間を構成し、該隙間部分を勝手口ポーチ部における縁切部（１１）としたので、勝手口ポーチにおける縁切をカバー等を配置することなく遮蔽できるとともに、地震時に基礎に対する上部構造体の相対変位を妨げることがなく円滑に免震することができる。
【０００９】
また、基礎と上部構造体との連結部に形成される縁切にカバー等を配置することなく、床下への浸水及び昆虫や小動物の侵入を防止することができる。
【００１０】
また、意匠面においても、免震装置を備えていない通常の住宅と遜色のない外観とすることができる。
【００１１】
また、地震が発生した場合においても破損することがなく、上部構造体が元位置に戻った際にも変形することがない。また、地震時において基礎に対する上部構造体の相対変位を妨げることもない。
【００１２】
また、地震発生時においては、住宅部とポーチ部とが一体的に動作し、前記基礎（３）部分に対して引っ掛かりがなく容易に相対変位できるように構成できる。
【００１３】
また、外壁部における縁切構造も構成されており、該隙間部において、床下換気や床下への浸水及び昆虫等の侵入を防止できる構成としている。
【００１４】
また、勝手口ポーチ部における縁切構造を構成したので、縁切部をカバー等で遮蔽することがなく、通常の住宅と外観上変化ない構成とすることができる。また、地震発生時において、引っ掛かりがなく、地盤に対して住宅部が円滑に相対変位できるのである。
【発明を実施するための最良の形態】
【００１５】
次に、発明の実施の形態を説明する。
【００１６】
図１は免震住宅の外壁部における縁切構造を示す側面図である。
【００１７】
図２は同じく断面図、図３は垂れ壁見切りの構成を示す断面図である。
【００１８】
図４は本発明に係る勝手口における縁切構造を示す正面図である。
【００１９】
図５は同じく側面図、図６は勝手口ポーチの構造を示す斜視図である。
【００２０】
図７は玄関ポーチにおける縁切構造を示す断面図、図８はピロティにおける縁切構造を示す断面図である。
【００２１】
本発明における免震住宅は、地盤上に形成される基礎上に積層ゴム等のアイソレータからなる免震装置を介して載置され、地盤に対して略絶縁された状態に支承されている。これにより、上部構造体としての住宅は基礎に対して水平方向に相対変位可能に免震支承されている。
【００２２】
また、本発明において、縁切部とは地盤に形成された基礎及び免震層からなる下部構造体と上部構造体との縁切部であって、地震発生時に地盤とともに振動する基礎部と、該基礎部に対して略絶縁されて振動が緩和される住宅部との連結部を示すものである。
【００２３】
まず、本発明に係る免震住宅における勝手口ポーチの縁切構造に関し、住宅の外壁部における縁切構造について説明する。図１及び図２に示すように、住宅の外壁部においては、地盤１０上に形成された基礎３と、図示しない免震装置にて支承された住宅部２の間に縁切部１が形成されている。住宅部２の外壁部は、土台梁４に固定された外壁パネル１２と、該土台梁４の下部に取付ボルト２７で固設された垂れ壁見切り８から構成されており、前記外壁パネル１２と上部外壁パネル１５との間の目地には水切板１７が取り付けられている。
【００２４】
前記外壁パネル１２の左右両端部であって、該パネルの内側（屋内側）方向には固定プレート１４を突出しており、該固定プレート１４を取付ボルトにより土台梁４に対して締結することで、外壁パネル１２が固定されている。また、外壁パネル１２の下部は垂れ壁見切り８に対してシール部材１３によってシールジョイントされており、浸水が防止される構成としている。
【００２５】
外壁パネル１２と上部の外壁パネル１５との目地に配される水切板１７は、その基部側を土台梁４の上面に固定ボルト２９で固定されるとともに、外壁パネル１２より外側に向けて下方傾斜して配置されている。また、該水切板１７の基部側であって外壁パネル１２の内側には止水部材１８を配しており、これにより雨水等が外壁内部に侵入することを防止するようにしている。このような水切板１７の構成により外壁パネル１２を伝って下方に流れる水滴等は、水切板１７上面を伝わり、パネル内に滲入することなく外部に排出されるようにしている。
【００２６】
図３に示すように、前記垂れ壁見切り８は土台梁４に取付ボルト２７にて締結される断面視Ｌ字状の上板８ｂと、該上版８ｂに固設されるとともに、その下部を屋外側に突出した下板８ａから構成されて管状に形成されている。前記下板８ａの底部にはメッシュ状の換気口９が開口されており、該換気口９は住宅部の周囲約０．５ｍおきに開口されているものであり、該換気口９を介して床下の換気ができるようにしている。また、前記垂れ壁見切り８が固定される土台梁４には通気口４ａが設けられており、換気口９から進入した空気は土台梁４の通気口４ａを通過して床下に通気して床下の換気が行われるようにしている。また、垂れ壁見切り８の底面の下面であって、換気口９よりも屋内側にはゴムやスポンジ等の弾性を有する材質で形成された止水部材６が住宅部の外周に沿って周設されている。
【００２７】
上記垂れ壁見切り８の下方と、地盤に形成された基礎３の上方との隙間に縁切部１が形成されており、該縁切部１を遮蔽すべく、基礎３の上面には上方向に突設した止水板５を外周に沿って鉛直方向に周設し、側面視において止水板５と止水部材６が重複するように設けている。そして、基礎３上に設けた止水板５と、垂れ壁見切り８の底面に設けた止水部材６によって縁切部１における水切り構造が構成され、これによって、床下への浸水や昆虫等の侵入を防止できるようにしているのである。
【００２８】
以上のような外壁部における縁切構造により、地震が発生して、基礎に対して住宅部が相対変位した場合においても、前記止水板５及び止水部材６はゴムやスポンジ等の弾性体で構成されているため破損することがなく、元位置に戻った際にも変形したりすることがなく復元する。また、地震時による基礎と住宅部の相対変位を妨げることもない。また、従来のように、縁切部にカバー等を配置することもなく、コスト的にも有利であり、意匠的にも、免震装置を備えていない住宅と遜色のない外観とすることができるのである。
【００２９】
次に、本子発明の勝手口ポーチ部における縁切構造について説明する。図４及び図５に示すように、勝手口ポーチ部における縁切部１１は、現場施工により基礎３上に形成されたステップ２２と、勝手口２５の正面に住宅部の土台梁４から屋外側へ突出して設けられるポーチ部との間に形成されている。
【００３０】
前記ポーチ部ははね出し板２３と、該はね出し板２３の外側部に固定された化粧カバー３０と、はね出し板２３の上表面に取り付けられたセメント板２４から構成されている。前記セメント板２４は押出成形で形成された中空の板状部材で形成されており、軽量且つ十分な重圧に耐え得る剛性を備えているものである。
【００３１】
前記はね出し板２３は住宅部に沿って階段部２３ａを形成しており、該階段部２３ａの下方にステップ２２が位置するように配置されている。図５及び図６に示すように、はね出し板２３は、住宅部の土台梁４に対してボルト締結されて外側に突出した３本の腕木３２・３２・３２と、各腕木間に懸架された腕木繋ぎ３３・３３・・・と、階段部２３ａを形成する受け板３４・３４と、該受け板３４・３４を支持する腕木控え材３５・３５から構成されている。
【００３２】
前記腕木３２・３２・３２にはそれぞれ腕木繋ぎ３３・３３・・・を固定するためのステー３３ａ・３３ａ・・・を設けており、該ステーに固定された腕木繋ぎ３３・３３・・・上に前記セメント板２４が配されるようにしている。また、前記受け板３４・３４は一方側の腕木３２に固定されてＬ字状に形成されており、その屈曲部分と中間位置の腕木３２との間に腕木控え材３５が懸架されて剛性の強化が図られている。これにより、受け板３４上に重圧がかかった場合にも撓むことを防止できるのである。なお、該受け板３４上にもセメント板２４が配されるものである。
【００３３】
前記化粧カバー３０は前記はね出し板２３の側部を覆うように設けられており、はね出し板の上下長より長く形成されている。該化粧カバー３０の底部と前記ステップ２２との隙間は７ｍｍ程度に設計されており、外観上では隙間間隔をほとんど感じさせないように構成されている。そして、該隙間部分を勝手口ポーチ部における縁切部１１としており、地震発生時においては住宅部とポーチ部とが一体的に動作して、基礎３部分に対して引っ掛かりがなく容易に相対変位できるようにしているものである。
【００３４】
また、前記ポーチ部が形成される位置における住宅部２と基礎３との隙間部の構成は、前述の外壁部における縁切構造と同様に構成されており、該隙間部において、床下換気や床下への浸水及び昆虫等の侵入を防止できる構成としている。また、ポーチ部の上面の高さ位置を水切板１７の高さ位置と略一致するよう配置し、ポーチ部を水切板１７に対して隙間を設けて配置していることで、外壁パネル１５を伝って流れる水滴等は水切板１７上を伝い隙間部から地盤上へ流れるのである。
【００３５】
以上のように、勝手口ポーチ部における縁切構造を構成したので、縁切部をカバー等で遮蔽することがなく、通常の住宅と外観上変化ない構成とすることができる。また、地震発生時において、引っ掛かりがなく、地盤に対して住宅部が円滑に相対変位できるのである。
【００３６】
次に、玄関ポーチ部における縁切構造について説明する。図７に示すように、玄関ポーチ部における縁切２１は、現場施工により基礎３上に形成されるステップ４６と、玄関ドア４２の正面外側に設けられる玄関ポーチ４５との間に形成されている。
【００３７】
前記ステップ４６は基礎３上にモルタルを塗り、その上にタイルを施して形成されており、該ステップ４６は地盤上に一体に構成されており、地震発生時には地盤とともに振動するものである。また、前記玄関ポーチ４５は、デッキプレート上にコンクリート、モルタル、タイルを施して成形されており、玄関ドア４２内の玄関４０と一体のデッキ４７で構成され、住宅の本体部分に取付けられている。前記玄関ドア４２の下方位置におけるデッキ４７にはコンクリート部分に支持梁４３を内設しており、該支持梁４３により玄関ポーチ４５と玄関４０とを連結して一体に構成できるようにしている。
【００３８】
玄関ドア４２内側は、玄関４０を介して住宅内のフロア３９となっており、該フロア３９は土台梁４上に配された合板や断熱材の上部に床板を貼って構成されている。
【００３９】
また、一体のデッキ４７で構成された玄関４０と玄関ポーチ４５とは、住宅本体部分の土台梁４に固定されて支持されるとともに、基礎３上に配置された免震装置４９にて玄関ポーチ４５下方位置で支承されており、玄関ポーチ４５上に重圧がかかった場合にも撓んだりすることがない。前記デッキ４７の玄関ポーチ４５先端部分には支持梁４４が内設されており、該支持梁４４によって玄関ポーチ４５の補強を図っているものである。
【００４０】
そして、前記玄関ポーチ４５と前記ステップ４６とは階段状に配置され、前記ステップ４６上面と玄関ポーチ４５底面との間に僅かな隙間が形成されており、該隙間部において玄関ポーチ部における縁切２１が形成されている。なお、玄関ポーチ４５は支持梁４４と免震装置４９によって支持されて撓むことがないため、該縁切２１において、玄関ポーチ４５とステップ４６とが当接することはなく、地震発生時においても円滑に相対変位が可能となるのである。
【００４１】
また、玄関ポーチ４５先端部下方における基礎の上面には止水板５が配置されており、免震装置４９が配される免震層内に水が浸入しないように配慮されているものである。また、免震装置の土台となる基礎３内には水抜きパイプ３７を設けており、免震層内に水が浸入した場合においても、該水抜きパイプ３７から地盤上に排水することができるものである。
【００４２】
以上のように、玄関ポーチ部における縁切構造を構成したので、縁切部をカバー等で遮蔽することなく、床下への水の浸入や昆虫や小動物の侵入を防止することができ、また、縁切における隙間間隔が僅かであるため、外観上では目立つことがなく、戸建て住宅としての意匠性を損なうおそれもないものである。
【００４３】
次に、ピロティにおける縁切構造について説明する。図８に示すように、ピロティにおける縁切３１は、ピロティ６０におけるデッキ５３と基礎３との間に形成されている。前記デッキ５３はデッキプレート５４上にコンクリート層５３ａ、モルタル層５３ｂを設け、その表面にタイル貼り５３ｃを施して形成されている。該デッキ５３の基部側は住宅本体の土台梁に支持されるとともに、その外側部は支持梁５２によって支持されている。そして、該支持梁５２は、前記デッキプレート５４を支持するとともに、モルタル受板５５を支持することでデッキ５３を支持している。
【００４４】
また、前記デッキ５３の角部にはピロティ柱５０が配されており、該ピロティ柱５０は前記支持梁５２の上面にボルト等で締結されているものである。該ピロティ柱５０の表面上には化粧が形成されており、該ピロティ柱５０と前記デッキ５３との連結部においてはシール部材５６によってシーリングが施されている。また、前記支持梁５２の下方位置に配された基礎３の上面には止水板５を配置しており、該止水板５によってピロティ下部への浸水を防止している。
【００４５】
以上のように、ピロティにおける縁切構造を構成したので、縁切部にカバー等を配することなく、床下への浸水を防止することができ、意匠面においても、通常の住宅と変化ない免震住宅とすることができるのである。
【図面の簡単な説明】
【００４６】
【図１】本発明に係る免震住宅の外壁部における縁切構造を示す側面図。
【図２】同じく断面図。
【図３】垂れ壁見切りの構成を示す断面図。
【図４】勝手口における縁切構造を示す正面図。
【図５】同じく側面図。
【図６】勝手口ポーチの構造を示す斜視図。
【図７】玄関ポーチにおける縁切構造を示す断面図。
【図８】ピロティにおける縁切構造を示す断面図。
【符号の説明】
【００４７】
１・１１・２１    縁切
２    住宅
３    基礎
４    土台梁
５    止水板
６    止水部材
８    垂れ壁見切り
９    換気口
１０  地盤
２３  はね出し板
４５  玄関ポーチ
６０  ピロティ
【図１】
2008248689.tif 000003
【図２】
2008248689.tif 000004
【図３】
2008248689.tif 000005
【図４】
2008248689.tif 000006
【図５】
2008248689.tif 000007
【図６】
2008248689.tif 000008
【図７】
2008248689.tif 000009
【図８】
2008248689.tif 000010